(57)【要約】【課題】製品の品位を高めることができる発光装置を提供する。【解決手段】発光装置２は、載置部１３が形成された基体５と、載置部１３に載置され、載置された状態で所定方向（図１２のｇ・ｈ方向）に移動可能な係止部材２５と、載置部１３に載置された係止部材２５の上に被せられると共に、被せられた状態で係止部材２５の移動方向と異なる方向（図２のaを含む方向）に移動して係止部材２５を移動させるように係止部材２５と係合するレバー３０と、を備える。そして載置部１３は、レバー３０を載置した方向に支持する支持部１７と、レバー３０の移動をガイドする溝２２、２３と、を備える。また、レバー３０は、載置部１３に引っ掛ける爪部３６と、溝２２、２３に挿入されるピン３４、３５と、を備える。【選択図】図５
2010026265.tif 000002
【特許請求の範囲】
【請求項１】
載置部が形成された基体と、
前記載置部に載置され、当該載置された状態で所定方向に移動可能な第１可動部材と、
前記載置部に載置された前記第１可動部材の上に被せられると共に、当該被せられた状態で前記第１可動部材の移動方向と異なる方向に移動して前記第１可動部材を移動させるように当該第１可動部材と係合する第２可動部材と、を備え、
前記載置部は、前記第２可動部材を載置した方向に支持する支持部と、前記第２可動部材の移動をガイドする溝部と、を備え、
前記第２可動部材は、前記載置部に引っ掛ける爪部と、前記溝部に挿入されるピンと、を備える、
発光装置。
【請求項２】
前記溝部は、前記載置部に凹設した部分であり、
前記載置部は、前記溝部外周の少なくとも一部に、前記溝部に前記ピンを導く傾斜部をさらに備え、
前記第２可動部材は、前記ピンが前記傾斜部に誘導されることによって、当該ピンが前記溝部に挿入されるようにする、
請求項１に記載の発光装置。
【請求項３】
収納部が形成された基体と、
前記収納部に出没自在に設けられ、突出位置と収納位置との間を移動可能な発光ユニットと、を備え、
前記収納部は、前記発光ユニットの移動をガイドする、少なくとも３つのガイド部が形成され、
前記発光ユニットは、前記ガイド部の各々に係合されて、移動可能に支持される軸部を有し、
前記３つのガイド部に係合される３つの軸部は、所定方向に軸を持つ第１軸部及び第２軸部、並びに当該所定方向と異なる方向の軸を持つ第３軸部である、
発光装置。
【請求項４】
収納部が形成された基体と、
前記収納部に出没自在に設けられ、突出位置と収納位置との間を移動可能な発光ユニットと、を備え、
前記収納部は、少なくとも３つの異なる面が形成されるとともに、当該３つの異なる面のそれぞれに前記発光ユニットの移動をガイドするガイド部が形成され、
前記発光ユニットは、前記ガイド部に係合された状態で、前記ガイド部にガイドされる軸部を有する、
発光装置。
【請求項５】
前記３つの異なる面は、所定の第１面、前記第１面に対向する第２面、及び、当該第１面と当該第２面とを繋ぐ第３面であり、
前記第１面及び前記第２面に形成されたガイド部にガイドされる２つの軸部は、当該第１面と当該第２面との間を貫通する１つのシャフトである、
請求項４に記載の発光装置。
【請求項６】
収納部が形成された基体と、
前記収納部に出没自在に設けられ、突出位置と収納位置との間を移動可能な発光ユニットと、
前記発光ユニットを前記突出位置方向に付勢する付勢部材と、
を備え、
前記発光ユニットは、第１筒状体を有し、
前記収納部は、前記第１筒状体を挿入可能な第２筒状体を有し、
前記付勢部材は、前記第１筒状体及び前記第２筒状体の内部に収納されている、
発光装置。
【請求項７】
請求項１から６のいずれかに記載の発光装置を備えるカメラ。
【発明の詳細な説明】
【技術分野】
【０００１】
本発明は、発光ユニットを設けた発光装置及びこれを備えたカメラに関する。
【背景技術】
【０００２】
従来から様々なストロボ内蔵カメラが提案されている。このうち、ホップアップ式と呼ばれるストロボを内蔵したカメラも種々のものが提案されている（下記特許文献１−３参照）。例えば、下記特許文献３に開示されているホップアップ式のストロボは、カメラ本体に格納したストロボが、カメラ本体外に突出する構成のものである。
【０００３】
また、ホップアップ式ストロボを内蔵したカメラには、ストロボを突出させる操作機構、ストロボの昇降を案内するガイド機構、ストロボに付勢力を与える付勢機構を備えたものもある。
【０００４】
このような各機構を備えたカメラによれば、操作機構による操作により、カメラ本体に格納したストロボの静止状態が解除され、付勢機構による付勢力により、ストロボはガイド機構に案内されながら突出することになる。
【特許文献１】実開昭６２−１０６２２５号公報
【特許文献２】実開昭５９−１８４１２９号公報
【特許文献３】特開昭５９−７５２３２号公報
【発明の開示】
【発明が解決しようとする課題】
【０００５】
しかしながら、前記のような従来のストロボ内蔵カメラでは、操作機構には複数の可動部品を結合する必要があり、この結合にねじを用いると結合力は確保できるものの、各部の強度を高めるため、小型化が難しくなっていた。
【０００６】
ガイド機構を設け、ストロボの昇降を案内できても、ストロボが突出した状態において、ストロボのがたつきや傾きが生じる場合があった。
【０００７】
さらに、付勢機構に用いるばねの圧縮時に、ばねの倒れ等により、ばねが他の部材に衝突し異音が生じる場合があった。
【０００８】
そこで本発明は、発光装置及びこれを備えたカメラにおいて、その品位を向上した発光装置及びこれを備えたカメラを提供することを目的とする。
【課題を解決するための手段】
【０００９】
上記目的を達成するために、本発明の発光装置は、載置部が形成された基体と、前記載置部に載置され、当該載置された状態で所定方向に移動可能な第１可動部材と、前記載置部に載置された前記第１可動部材の上に被せられると共に、当該被せられた状態で前記第１可動部材の移動方向と異なる方向に移動して前記第１可動部材を移動させるように当該第１可動部材と係合する第２可動部材と、を備える。そして、前記載置部は、前記第２可動部材を載置した方向に支持する支持部と、前記第２可動部材の移動をガイドする溝部と、を備える。また、前記第２可動部材は、前記載置部に引っ掛ける爪部と、前記溝部に挿入されるピンと、を備える。
【００１０】
このようにすれば、第２可動部材を載置した方向の第２可動部材の外れを、載置部の支持部および第２可動部材の爪部で防止することができる。また、第２可動部材の移動方向の外れを、載置部の溝部および第２可動部材のピンで防止することができる。これによって、ネジ等の結合部材を用いずに、第１可動部材及び第２可動部材を載置部に結合することができる。
【００１１】
また、好ましくは、前記溝部は、前記載置部に凹設した部分であり、前記載置部は、前記溝部外周の少なくとも一部に、前記溝部に前記ピンを導く傾斜部をさらに備える。そして、前記第２可動部材は、前記ピンが前記傾斜部に誘導されることによって、当該ピンが前記溝部に挿入されるようにする。
【００１２】
このようにすれば、第２可動部材のピンが傾斜部に誘導される。これによって、第２可動部材は、ピンが傾斜部に誘導される際、たわんだ状態となり、ピンが溝部に挿入される際、たわみが解除される。これによって、第２可動部材の載置部への取り付けを容易にしている。
【００１３】
また、本発明の発光装置は、収納部が形成された基体と、前記収納部に出没自在に設けられ、突出位置と収納位置との間を移動可能な発光ユニットと、を備える。そして、前記収納部は、前記発光ユニットの移動をガイドする、少なくとも３つのガイド部が形成され、前記発光ユニットは、前記ガイド部の各々に係合されて、移動可能に支持される軸部を有する。また、前記３つのガイド部に係合される３つの軸部は、所定方向に軸を持つ第１軸部及び第２軸部、並びに当該所定方向と異なる方向の軸を持つ第３軸部である。
【００１４】
このようにすれば、発光ユニットが突出位置に移動された際、所定方向の軸を持つ第１軸部及び第２軸部が結合されるガイド部の孔によって生じるガタツキや傾きを、所定方向とは異なる軸を持つ第３軸部がガイド部に係合させることで軽減することができる。
【００１５】
また、本発明の発光装置は、収納部が形成された基体と、前記収納部に出没自在に設けられ、突出位置と収納位置との間を移動可能な発光ユニットと、を備える。そして、前記収納部は、少なくとも３つの異なる面が形成されるとともに、当該３つの異なる面のそれぞれに前記発光ユニットの移動をガイドするガイド部が形成される。また、前記発光ユニットは、前記ガイド部に係合された状態で、前記ガイド部にガイドされる軸部を有する。
【００１６】
また、好ましくは、前記３つの異なる面は、所定の第１面、前記第１面に対向する第２面、及び、当該第１面と当該第２面とを繋ぐ第３面である。そして、前記第１面及び前記第２面に形成されたガイド部にガイドされる２つの軸部は、当該第１面と当該第２面との間を貫通する１つのシャフトである。
【００１７】
また、本発明の発光装置は、収納部が形成された基体と、前記収納部に出没自在に設けられ、突出位置と収納位置との間を移動可能な発光ユニットと、前記発光ユニットを前記突出位置方向に付勢する付勢部材と、を備える。そして、前記発光ユニットは、第１筒状体を有し、前記収納部は、前記第１筒状体を挿入可能な第２筒状体を有し、前記付勢部材は、前記第１筒状体及び前記第２筒状体の内部に収納されている。
【００１８】
このようにすれば、付勢部材の伸縮時に、付勢部材が他の部材に衝突したりして、異音が発生するのを、より軽減できる。
【００１９】
また、好ましくは、上記発光装置を備えるカメラである。
【発明の効果】
【００２０】
本発明によれば、発光装置及びこれを備えたカメラにおいて、その品位を向上させることができる。
【発明を実施するための最良の形態】
【００２１】
以下、本発明の一実施の形態について、図面を参照しながら説明する。
【００２２】
(実施の形態１)
図１は、本実施の形態に係るカメラの斜視図を示している。本図に示したカメラ１０は、カメラ本体１に発光装置２を内蔵したものである。図１の図示では、発光装置２のうち、発光ユニット３の上面が露出している。発光ユニット３は、発光部（ストロボ）を内蔵している。アップボタン４を矢印ａ方向に移動させることにより、発光ユニット３がカメラ本体１から突出し、被写体に向けて発光することが可能になる。
【００２３】
図２は、発光装置２の斜視図である。本図は、図１のカメラ本体１から発光装置２を取り出して図示したものである。発光ユニット３は、基体５に取付けられている。基体５は、発光ユニット３を収納する収納部６が形成されている。図２では収納部６の外壁面が図示されている。基体５の単体の状態では、収納部６の内壁面で囲まれた空間を形成している。この空間内に発光ユニット３が収納されることになる。図２は、収納部６に発光ユニット３を収納している状態を図示している。図２は、発光ユニット３を収納位置に支持した状態を示す図である。
【００２４】
基体５には、発光ユニット３の昇降に関連した各種機構が取り付けられている。操作機構７は、発光ユニット３を突出させるための機構である。スライド機構８は、発光ユニット３の昇降を案内する機構であり、突出させた発光ユニット３を安定して保持する役割もある。付勢機構９は、付勢部材の一例であるばねを内蔵しており、発光ユニット３を突出させる付勢力を与える機構である。
【００２５】
実施の形態１では、操作機構７について説明し、スライド機構８は実施の形態２で説明し、付勢機構９については実施の形態３で説明する。
【００２６】
図３は、発光ユニット３を突出位置に支持した状態を示す斜視図である。図４は、図３の発光装置２を発光ユニット３の背面側から見た斜視図である。図２において、レバー３０と一体のアップボタン４を矢印ａ方向に移動させることにより、発光ユニット３に形成した凹部１２（図４）と、操作機構７に含まれる凸部２７（図５）との間の係合が解除される。この係合の解除により、付勢機構９（図２、３）に内蔵したばねの反発力により、図３に示したように、発光ユニット３が押し上げられる。
【００２７】
アップボタン４は、前記の通り、図１においては、カメラ本体１の上面に露出しており、容易に操作可能である。図３の状態では、発光部１１が現れており、被写体に向けて発光可能である。
【００２８】
以下、図面を参照しながら、操作機構７による発光ユニット３の昇降について具体的に説明する。図５は、図４の操作機構７を分解した状態を示す斜視図である。図５では発光ユニット３の図示は簡略化している。操作機構７は、載置部１３、係止部材２５、レバー３０及びばね２８で構成されている。載置部１３上に係止部材２５を載置し、その上にレバー３０を装着することになる。レバー３０は、係止部材２５の上に被さるように装着される。この際レバー３０は、少なくとも一部が係止部材２５の上に被さるように構成されていればよい。
【００２９】
図６は、載置部１３に係止部材２５を載置した状態を示す斜視図である。この状態では、図５に示した開口２１に、係止部材２５に形成した凸部２７が挿入される。
【００３０】
図７（ａ）は、レバー３０を取り付ける途中の状態を示す斜視図である。載置部１３の壁面１４とレバー３０との間に、ばね２８が介在している。より具体的には、図５において、ピン３２にばね２８の一端を差し込んだ状態で、ばね２８の他端を載置部１３の壁面１４に形成したピン１５に差し込んでいる。
【００３１】
また、図５に示したように、載置部１３には溝２３が形成されており、レバー３０の裏面にはピン３５が形成されている。図７（ａ）の状態では、溝２３にピン３５が挿入されている。
【００３２】
さらに、図７（ａ）の状態では、レバー３０に形成された凹部３１に、載置部１３の壁面１６から延出した支持部１７の一部がレバー３０に係合される。これによって、支持部１７は、レバー３０を載置した方向に支持するようにしている。
【００３３】
図７（ｂ）は、図７（ａ）のｃ部の拡大図である。レバー３０の端部３３は、載置部１３に形成した溝壁２０に重なりあっている。この様子を図８に示している。図８は、図７（ｂ）のＡＡ線における断面図である。レバー３０の端部３３の裏面のピン３４が溝壁２０に乗り上げている。
【００３４】
図９（ａ）は、図７（ｂ）のＢＢ線における断面図である。レバー３０と一体に形成したＬ字形の爪部３６が載置部１３の裏面に係合している。
【００３５】
ここで、レバー３０を載置部１３に取り付ける際には、図７（ａ）のように、レバー３０と壁面１４との間にばね２８を介在させた状態で、レバー３０の先端３３を矢印ｂ方向に回転させることになる。
【００３６】
図８において、２点鎖線で示したピン３４′は、実線で示したピン３４の位置に至る少し前の状態を示している。ピン３４′の位置から、レバー３０が矢印ｂ方向に回転すると、ピン３４′はピン３４の位置に移動することになる。
【００３７】
図９（ａ）において、２点鎖線で示した爪部３６′は、実線で示した爪部３６の位置に至る少し前の状態を示している。爪部３６′の位置から、レバー３０の先端３３が矢印ｂ方向（図７（ａ））に回転すると、爪部３６′は爪部３６の位置に移動し、載置部１３の裏面に引っ掛けられることになる。
【００３８】
図９（ａ）のように、載置部１３の裏面に爪部３６が係合した状態では、レバー３０が上昇する方向（矢印ｄ方向）の変位は抑えられる。したがって、図７（ａ）において、レバー３０の長手方向のうち、爪部３６の近傍においては、レバー３０が上昇する方向（矢印ｄ方向）の変位は抑えられる。
【００３９】
一方、図８において、ピン３４がピン３４′の位置にあるときは、図９（ａ）に示したように、すでに爪部３６は載置部１３の裏面に係合している。さらに、図７（ａ）に示したように、レバー３０に形成された凹部３１に、載置部１３の壁面１６から延出した支持部１７が係合している。
【００４０】
この状態で、レバー３０を矢印ｂ方向に回転させると、図８に示したように、ピン３４′は溝壁２０の先端位置に乗り上げ、上昇することになる。一方、前記の通り、爪部３６の近傍において、レバー３０が上昇する方向（矢印ｄ方向）の変位は抑えられる。
【００４１】
したがって、レバー３０が湾曲して（たわんで）、ピン３４が溝壁２０の先端位置に乗り上げていることになる。本実施の形態では、図５、８に示したように、ピン３４の溝壁２０への乗り上げを容易にするため、傾斜部１９を設けている。
【００４２】
図１０は、図８の状態からレバー３０をさらに矢印ｂ方向に回転させた状態を示す断面図である。図８に示したように、ピン３４が溝壁２０の先端位置に乗り上げた状態から、さらにレバー３０を矢印ｂ方向に回転させると、図１０に示したように、ピン３４は溝２２に係合する。この状態では、レバー３０の湾曲は復元しており、ピン３４が溝壁２０に乗り上げる前の平板状態に戻っている。
【００４３】
この状態では、図９（ａ）に示した爪部３６と載置部１３との係合状態も変化している。図９（ｂ）は、図１０のようにピン３４が溝２２内に収納されている状態における爪部３６と載置部１３との係合状態を示している。レバー３０の回転移動に伴い、爪部３６は、図９（ａ）に比べより広い範囲で載置部１３に係合している。
【００４４】
図１０、図９（ｂ）の状態は、図２、４に示したようにレバー３０の装着が完了した状態である。図４のように、レバー３０の装着完了状態では、支持部１７は長手方向の全体に亘りレバー３０の凹部３１（図５、図７（ａ））に係合している。ピン３４は溝２２に係合しており（図１０）、ピン３５は溝２３に係合している（図７（ａ））。さらに、爪部３６は、載置部１３の底面に係合している（図９（ｂ））。
【００４５】
この状態では、ピン３４、ピン３５は、それぞれ溝２２、溝２３に沿って移動でき、レバー３０はスライド可能である。支持部１７と凹部３１との係合、及び爪部３６と載置部１３の底面との係合、並びに、ピン３４と溝２２の係合、及び、ピン３５と溝２３の係合により、レバー３０が載置部１３から外れることを、防止している。すなわち、レバー３０は、載置部１３に安定して装着された状態でスライド可能である。
【００４６】
なお、支持部１７とレバー３０の凹部３１（図５、図７（ａ））とが係合した例で説明したが、支持部１７とレバー３０とが重なればよく、凹部３１を形成しない構成も考えられる。本実施の形態では、凹部３１を形成したことにより、壁面１６（図５、図７（ａ））の高さを高くする必要がなく、小型化に有利になる。
【００４７】
以下、操作機構７による発光ユニット３の昇降動作について説明する。図１１は、図４のように発光ユニット３が突出した状態において、載置部１３の近傍を拡大して図示した平面図である。図１１では、レバー３０を取り外した状態を図示しているが、説明の便宜のため、レバー３０のピン３７、３８は図示している。
【００４８】
ピン３７、３８は、レバー３０の裏面に形成したピンであり、図５にこれらの位置を示している。図１１に示したように、ピン３７、３８は、係止部材２５に形成した一対の連動溝２６に係合している。連動溝２６の全周は、係止部材２５の平面部に対して凸状になっている。係止部材２５は、載置部１３から突出させた一対のガイド壁２４間に配置しているので、矢印ｅ、ｆ方向への移動は規制されている。すなわち、レバー３０と係止部材２５は、異なる方向で移動可能である。
【００４９】
一方、レバー３０のスライドに伴い、ピン３７、３８が矢印ｅ、ｆ方向へ移動すると、連動溝２６がピン３７、３８と摺動しながら、係止部材２５は矢印ｇ、ｈ方向へ移動することができる。
【００５０】
図１１の状態では、係止部材２５に形成した一対の凸部２７（図５参照）の先端が、発光ユニット３の背面３ａに当接している。この状態は、レバー３０がばね２８（図４）の反発力により、矢印ｅ方向に移動し切った状態である。
【００５１】
係止部材２５については、レバー３０の矢印ｅ方向の移動に伴い、連動溝２６がピン３７、３８と摺動しながら、矢印ｇ方向に移動し切った状態を示している。すなわち、係止部材２５は、凸部２７の先端が、発光ユニット３の背面３ａに当接するまで移動しているので、これ以上の移動はできないことになる。
【００５２】
図１２は、図２のように発光ユニット３を収納した状態において、載置部１３の近傍を拡大して図示した平面図である。図３の状態から、発光ユニット３の上面を下側に押すことにより、付勢機構９に内蔵したばねの反発力に逆らって、発光ユニット３を収納させる方向に下降させることができる。この下降中においては、図１１に示した係止部材２５の凸部２７の先端が、発光ユニット３の背面３ａに当接した状態が維持される。このため、発光ユニット３の下降中においては、図１１に示した係止部材２５の位置も維持される。
【００５３】
発光ユニット３の下降が進むと、発光ユニット３の背面に形成した凹部１２（図４）が、係止部材２５の凸部２７の先端位置まで下降してくる。図１１の状態では、前記の通り、凸部２７の先端が発光ユニット３の背面３ａに当接して、係止部材２５の矢印ｇ方向の移動が制限された状態になっている。
【００５４】
一方、係止部材２５は、レバー３０を介して、矢印ｅ方向に、ばね２８（図４）の反発力が加わっている。このため、凸部２７の先端と発光ユニット３の背面３ａとの当接状態が解除されれば、係止部材２５は、連動溝２６がピン３７、３８と摺動しながら、さらに矢印ｇ方向に移動することが可能になる。
【００５５】
したがって、図１２に示したように、係止部材２５の凸部２７の位置に、発光ユニット３の凹部１２が下降してくると、係止部材２５は矢印ｇ方向に移動し、発光ユニット３の凹部１２に、係止部材２５の凸部２７が係合することになる。この状態では、発光ユニット３には、付勢機構９に内蔵したばねの反発力により、発光ユニット３を上昇させる方向（紙面に垂直な方向）に力が作用している。
【００５６】
しかしながら、発光ユニット３を上昇させる方向に力が作用しても、発光ユニット３の凹部１２の底面１２ａが、係止部材２５の凸部２７の裏面に当接し、発光ユニット３の上昇は規制される。このため、発光ユニット３は、図１、２に示した位置に静止した状態が保たれることになる。
【００５７】
図１２の状態から、レバー３０を矢印ｆ方向に移動させると、発光ユニット３の凹部１２と係止部材２５の凸部２７との係合が解除され、発光ユニット３が上昇することになる。具体的には、図１、２において、アップボタン４を矢印ａ方向に移動させると、この移動と一体にレバー３０も矢印ａ方向に移動することになる。このことにより、図１２において、レバー３０と一体のピン３７、３８が矢印ｆ方向に移動する。この移動により、連動溝２６がピン３７、３８と摺動しながら、係止部材２５が矢印ｈ方向に移動することになる。このことにより、発光ユニット３の凹部１２と係止部材２５の凸部２７との係合が解除される。このとき、付勢機構９に内蔵したばねの反発力により、発光ユニット３が図３、４に示したように突出することになる。
【００５８】
ここで本実施の形態と本発明の対応付けをする。載置部１３は、本発明の載置部１３の一例である。基体５は、本発明の基体の一例である。係止部材２５は、本発明の第１可動部材の一例である。レバー３０は、本発明の第２可動部材の一例である。支持部１７は、本発明の支持部の一例である。また、溝２２、２３は、本発明の溝部の一例である。爪部３６は、本発明の爪部の一例である。ピン３４、３５は、本発明のピンの一例である。傾斜部１９は、本発明の傾斜部の一例である。
【００５９】
このように本実施の形態１の発光装置２は、載置部１３が形成された基体５と、載置部１３に載置され、載置された状態で所定方向（図１２のｇ・ｈ方向）に移動可能な係止部材２５と、載置部１３に載置された係止部材２５の上に被せられると共に、被せられた状態で係止部材２５の移動方向と異なる方向（図２のaを含む方向）に移動して係止部材２５を移動させるように係止部材２５と係合するレバー３０と、を備える。そして載置部１３は、レバー３０を載置した方向に支持する支持部１７と、レバー３０の移動をガイドする溝２２、２３と、を備える。また、レバー３０は、載置部１３に引っ掛ける爪部３６と、溝２２、２３に挿入されるピン３４、３５と、を備える。
【００６０】
このようにすれば、レバーを載置した方向のレバーの外れを、支持部および爪部で防止できる。また、レバーの移動方向の外れを、溝部およびピンで防止できる。これによって、ネジ等の結合部材を用いずに、第１可動部材及び第２可動部材を載置部に結合することができる。
【００６１】
本実施の形態では、溝２２は、載置部１３に凹設した部分であり、載置部１３は、溝２２外周の少なくとも一部に、溝２２にピン３４を導く傾斜部１９をさらに備える。そして、レバー３０は、ピン３４が傾斜部１９に誘導されることによって、ピン３４が溝２２に挿入されるようにする。
【００６２】
このようにすれば、レバーのピンが傾斜部に誘導される。これによって、レバーは、ピンが傾斜部に誘導される際、たわんだ状態となり、ピンが溝に挿入される際、たわみが解除される。これによって、レバーの載置部への取り付けを容易にしている。
【００６３】
（実施の形態２）
実施の形態２では、図２に示したスライド機構８について説明する。前記の通り、スライド機構８は、発光ユニット３の昇降を案内する機構であり、突出した発光ユニット３を安定して保持する役割もある。
【００６４】
図１３は、スライド機構の外観の一部を示す正面図である。本図は、図３の発光装置２を発光部１１側から見た正面図に相当する。図１３の図示は要部の構成に止め、図３に比べ簡略化して図示している。図１４は、図１３のＣＣ線における断面図である。図１４についても、図示は要部の構成に止め簡略化して図示している。
【００６５】
図１３に示したように、収納部６の正面には、収納部６を切り欠いたガイド部であるスリット４０を形成している。スリット４０には、シャフト４１及び係合片４２で構成した軸部を係合させている。図１４の断面図に示したように、収納部６の背面にも正面と同様に、収納部６を切り欠いたガイド部であるスリット４４を形成している。シャフト４１は収納部６を貫通するように配置しており、スリット４０及びスリット４４の双方に、シャフト４１が係合している。
【００６６】
図１４の状態では、付勢機構９（図２、３）に内蔵したばねの反発力により、発光ユニット３が突出している。図１４の状態から発光ユニット３を矢印ｉ方向に押し下げると、ばねの反発力に逆らって、発光ユニット３と一体にシャフト４１は、スリット４０及びスリット４４に案内されながら、矢印ｉ方向に下降することになる。
【００６７】
また、図１３、図１４では係合片４２に、緩衝部材４３が当接している。このことにより、発光ユニット３が突出したときの衝撃を吸収し、音の発生も抑えるようにしている。
【００６８】
なお、係合片４２や緩衝部材４３を省いた構成でもよく、収納部６の正面のみならず、他の面にも係合片４２や緩衝部材４３を追加した構成でもよい。
【００６９】
図１５は、発光ユニット３の下降が完了した状態を示す断面図である。この状態は、図２の状態に相当する。この状態は、図１２のように、係止部材２５の凸部２７と、発光ユニット３の凹部１２とが係合しており、ばねの反発力による発光ユニット３の上昇は規制されている。
【００７０】
前記の通り、図１２において、係止部材２５の凸部２７と、発光ユニット３の凹部１２との係合を解除すれば、ばねの反発力により、発光ユニット３が突出する。この際、図１５において、シャフト４１はスリット４０及びスリット４４に案内されながら、矢印ｊ方向に突出することになる。
【００７１】
以上のように、発光ユニット３の昇降の際には、シャフト４１がスリット４０及びスリット４４に案内されながら、発光ユニット３は収納部６内を上下に移動することになる。
【００７２】
一方、図１４のように、発光ユニット３が突出した状態では、発光ユニット３を囲む収納部６の範囲が小さくなっている。このため、発光ユニット３の上部に触れたとき、矢印ｋ、ｌ方向にぐらつき易くなる。このようなぐらつきが生じると、品位が低下するのみならず、ぐらついたまま復元しなければ、照射範囲にずれが生じてしまう。
【００７３】
本実施の形態では、発光ユニット３の突出時のぐらつきを防止するために、収納部６の側面にもシャフトを案内するスリットを形成している。以下、図１６、１７を参照しながら具体的に説明する。
【００７４】
図１６は、発光装置２の側面図を示している。本図は、図１３の発光装置２を矢印Ａ方向から見た図に相当する。図１６の図示は要部の構成に止め、図３に比べ簡略化して図示している。図１７は、図１６のＤＤ線における断面図である。図１７についても、図示は要部の構成に止め簡略化して図示している。
【００７５】
図１６に示したように、発光ユニット３には、支持板４５が取り付けられている。支持板４５には、軸部であるシャフト４６が取り付けられている。収納部６には、収納部６を切り欠いたガイド部であるスリット４７を形成している。このスリット４７にシャフト４６が係合している。
【００７６】
図１７の断面図に示したように、シャフト４６はスリット４７を貫通しており、シャフト４６の先端の拡径部４６ａと、支持板４５との間に、スリット４７が介在している。図１７の構成は一例であり、スリット４７に係合させた係合部がスリット４７に案内される構成であればよい。
【００７７】
図１６の状態から、発光ユニット３を矢印ｉ方向に押し下げると、発光ユニット３と一体にシャフト４６は、スリット４７に案内されながら、矢印ｉ方向に下降することになる。
【００７８】
すなわち、発光ユニット３を矢印ｉ方向に押し下げたときは、収納部６の正面、背面及び側面にいずれの面においても、ガイド部であるスリット内をシャフトが案内されながら下降していることになる。
【００７９】
ここで、図１６のように、発光ユニット３が突出した状態において、発光ユニット３が矢印ｋ、ｌ方向に移動するように、外力を加えると、発光ユニット３は、シャフト４１を中心に回転しようとする。この場合、スリット４５に係合したシャフト４６の移動は規制されるので、発光ユニット３の矢印ｋ、ｌ方向の移動も抑えられることになる。
【００８０】
この効果は、収納部６の側面にガイド部を形成していない比較例と比べれば明らかである。この比較例の構成では、発光ユニット３が矢印ｋ、ｌ方向に移動するように、外力を加えると、シャフト４６についても、矢印ｋ、ｌ方向に移動する余地があり、発光ユニット３の変位は大きくなる。
【００８１】
すなわち、本実施の形態によれば、収納部６の異なる３面のそれぞれに、ガイド部を形成しているので、発光ユニット３の昇降が一層安定するとともに、発光ユニット３が上昇した状態におけるぐらつきや傾きを抑えることが可能になる。
【００８２】
なお、ガイド部を収納部６の前面、背面及び側面の３面に形成した例で説明したが、少なくともいずれかの面に、さらにガイド部を追加してもよい。また、収納部６に対向する一対の側面を形成し、両側面にガイド部を形成してもよい。
【００８３】
また、実施の形態２では、発光ユニット３を突出させる操作機構は、実施の形態１の機構の例で説明したが、発光ユニット３が下降した静止状態と、発光ユニット３が突出した状態とを切り換えることができるものであれば、他の構成であってもよい。
【００８４】
ここで本実施の形態２と本発明の対比を行なう。実施の形態１と同様の構成要素については、説明を割愛する。発光ユニット３は、本発明の発光ユニットの一例である。スリット４０、４４、４７は、本発明のガイド部の一例である。シャフト４１、４６は、本発明の軸部の一例である。シャフト４１が、第１軸部及び第２軸部の一例である。シャフト４６が、第３軸部の一例である。
【００８５】
上述したように本実施の形態の発光装置２は、収納部６が形成された基体５と、収納部６に出没自在に設けられ、突出位置と収納位置との間を移動可能な発光ユニット３と、を備える。そして収納部６は、発光ユニット３の移動をガイドする、少なくとも３つのスリット４０、４４、４７が形成され、発光ユニット３は、スリット４０、４４、４７の各々に係合されて、移動可能に支持されるシャフト４１、４６を有する。また、３つのスリットに係合される３つ軸部を構成するシャフト４１、４６は、所定方向に軸を持つシャフト４１、並びに所定方向と異なる方向の軸を持つシャフト４６である。
【００８６】
このようにすれば、発光ユニットが突出位置に移動された際、所定方向の軸を持つシャフト４１が結合されるスリット４０、４４によって生じるガタツキや傾きを、所定方向とは異なる軸を持つ４６が、スリット４７に係合させることで軽減することができる。
【００８７】
（実施の形態３）
実施の形態３では、図２、３に示した付勢機構９について説明する。前記の通り、付勢機構９は、付勢部材であるばねを内蔵しており、発光ユニット３を突出させる付勢力を与える機構である。
【００８８】
図１８は、発光装置２の斜視図を示している。本図は図３を別の角度から見た斜視図であり、付勢機構９がより現れている状態を図示したものである。図１９は、図１８から付勢機構９及び発光ユニット３を取り出して図示したものである。図１９は図３に比べ簡略化して図示している。
【００８９】
図１８の図示では、付勢機構９のうち第２筒状体５２が現れている。第２筒状体５２は、筒状の取付部５１内に収納して固定している。図１９に示したように、第１筒状体５０は、発光ユニット３に固定されており、第１筒状体５０の上下移動により、発光ユニット３は昇降可能である。このことについて、図２０を参照しながら具体的に説明する。
【００９０】
図２０は、図１９の垂直断面図である。図２０（ａ）は、発光ユニット３が突出した状態を示しており、図３の状態に相当する。図２０（ｂ）は、発光ユニット３を収納した状態を示しており、図２の状態に相当する。
【００９１】
図２０（ａ）に示したように、第２筒状体５２の内部に、第２筒状体５２より外径を小さくした第１筒状体５０の一部を挿入している。第１筒状体５０及び第２筒状体５２の内部に、付勢部材であるばね５３を収納している。第２筒状体５２の内周面と、ばね５３の外周面との間には、第１筒状体５０を挿入する空間を形成している。
【００９２】
図２０（ａ）の状態から、発光ユニット３を矢印ｉ方向に押し下げると、これと一体になって第１筒状体５０は矢印ｉ方向に下降する。この下降中は、第１筒状体５０の外周面が第２筒状体５２の内周面上を摺動することになる。第１筒状体５０の下降に伴い、ばね５３は圧縮されていく。
【００９３】
図２０（ａ）では、ばね５３は第１筒状体５０の内部に収納されている。このため、ばね５３の立設状態は安定している。また、第１筒状体５０の上下移動の際には、第１筒状体５０は第２筒状体５２に案内されながら空間５３内を移動する。このため、第１筒状体５０の上下移動も安定している。
【００９４】
したがって、第１筒状体５０の上下移動に伴なうばね５３の伸縮は安定している。さらに、ばね５３の内部には介在物がない。この構成によれば、ばね５３の伸縮時に、ばね５３が他の部材に衝突したり、引っ掛ることを防止することができる。このことにより、ばね５３の伸縮時における異音発生も抑えることができる。
【００９５】
ここで実施の形態３と本発明の対比をする。実施の形態１と同様の構成要素については、説明を割愛する。ばね５３は、本発明の付勢部材の一例である。第１筒状体５０は、本発明の第１筒状体の一例である。また、第２筒状体５２は、本発明の第２筒状体の一例である。
【００９６】
上述したように本実施の形態３の発光装置２は、収納部６が形成された基体５と、収納部６に出没自在に設けられ、突出位置と収納位置との間を移動可能な発光ユニット３と、発光ユニット３を突出位置方向に付勢するばね５３と、を備える。そして発光ユニット３は、第１筒状体５０を有し、収納部６は、第１筒状体５０を挿入可能な第２筒状体５２を有し、ばね５３は、第１筒状体５０及び前記第２筒状体５２の内部に収納されている。
【００９７】
このようにすれば、ばねの伸縮時に、ばねが他の部材に衝突したりして、異音が発生するのを、より軽減できる。
【００９８】
なお、実施の形態３では、図２、３の構成を前提に説明したが、発光ユニット３を突出させる操作機構は、実施の形態１の構成に限るものではなく、他の構成であってもよい。同様に、発光ユニット３の昇降を案内するスライド機構８についても、実施の形態２の構成に限るものではなく、他の構成であってもよい。
【００９９】
また、実施の形態３では、第２筒状体に、第１筒状体を挿入可能に構成した。しかし、これに限られず、第１筒状体に、第２筒状体を挿入可能に構成してもかまわない。
【産業上の利用可能性】
【０１００】
本発明によれば、簡単な構造で、安定した部品の結合を可能にしたり、製品の品位を高めることができるので、本発明はカメラの発光装置として有用である。
【図面の簡単な説明】
【０１０１】
【図１】本発明の一実施の形態に係るカメラの斜視図
【図２】本発明の一実施の形態に係る発光装置２の斜視図
【図３】本発明の一実施の形態に係る発光ユニット３が突出した状態を示す斜視図
【図４】図３の発光装置２を発光ユニット３の背面側から見た斜視図
【図５】図４の操作機構７を分解した状態を示す斜視図
【図６】本発明の一実施の形態に係る載置部１３に係止部材２５を載置した状態を示す斜視図
【図７】（ａ）図は本発明の一実施の形態に係るレバー３０を取り付ける途中の状態を示す斜視図、（ｂ）図は（ａ）図のｃ部の拡大図
【図８】図７（ｂ）のＡＡ線における断面図
【図９】（ａ）図は図７（ｂ）のＢＢ線における断面図、（ｂ）図はピン３４が溝２２内に収納されている状態における爪部３５と載置部１３との係合状態を示す断面図
【図１０】図８の状態からレバー３０をさらに矢印ｂ方向に回転させた状態を示す断面図
【図１１】本発明の一実施の形態に係る発光ユニット３が突出した状態における載置部１３の近傍を拡大して図示した平面図
【図１２】本発明の一実施の形態に係る発光ユニット３を収納した状態における載置部１３の近傍を拡大して図示した平面図
【図１３】本発明の一実施の形態に係るスライド機構の外観の一部を示す正面図
【図１４】図１３のＣＣ線における断面図
【図１５】本発明の一実施の形態に係る発光ユニット３の下降が完了した状態を示す断面図
【図１６】本発明の一実施の形態に係る発光装置２の側面図
【図１７】図１６のＤＤ線における断面図
【図１８】本発明の一実施の形態に係る発光装置２の斜視図
【図１９】図１８から付勢機構９及び発光ユニット３を取り出して図示した斜視図
【図２０】図１９の垂直断面図であり、（ａ）図は発光ユニット３が突出した状態を示した断面図、（ｂ）図は発光ユニット３を収納した状態を示した断面図
【符号の説明】
【０１０２】
２  発光装置
３  発光ユニット
６  収納部
１０  カメラ
１３  載置部
１７  支持部
１９  傾斜部
２２，２３  溝
３４，３５  ピン
２５  係止部材
３０  レバー
３１  凹部
３６  爪部
４０，４４，４７  スリット
４１，４６  シャフト
４３  緩衝部材
５０  第１筒状体
５２  第２筒状体
５３  ばね
【図１】
2010026265.tif 000003
【図２】
2010026265.tif 000004
【図３】
2010026265.tif 000005
【図４】
2010026265.tif 000006
【図５】
2010026265.tif 000007
【図６】
2010026265.tif 000008
【図７】
2010026265.tif 000009
【図８】
2010026265.tif 000010
【図９】
2010026265.tif 000011
【図１０】
2010026265.tif 000012
【図１１】
2010026265.tif 000013
【図１２】
2010026265.tif 000014
【図１３】
2010026265.tif 000015
【図１４】
2010026265.tif 000016
【図１５】
2010026265.tif 000017
【図１６】
2010026265.tif 000018
【図１７】
2010026265.tif 000019
【図１８】
2010026265.tif 000020
【図１９】
2010026265.tif 000021
【図２０】
2010026265.tif 000022